(57)【要約】【課題】着用者に容易に着用させることが可能であり、着用させた手袋を着用者が容易に取り外すことが困難な要介護者用手袋を提供する。【解決手段】一方の上肢に装着する第１保護具と、他方の上肢に装着する第２保護具とを有する要介護者用手袋であって、第１保護具は、手の機能を制限する第１手袋と、手袋から延びる第１袖部と、第１袖部の端部に設けられる第１接合部とを有し、第２保護具は、手の機能を制限する第２手袋と、手袋から延びる第２袖部と、第２袖部の端部に設けられる第２接合部とを有し、第１保護具と第２保護具は、別々の部材として構成されており、第１接続部及び第２接続部を介して、接続及び分離可能に構成された要介護者用手袋。【選択図】図７
2020125564.tif 000002
【特許請求の範囲】
【請求項１】
一方の上肢に装着する第１保護具と、他方の上肢に装着する第２保護具とを有する要介護者用手袋であって、
第１保護具は、
手の機能を制限する第１手袋と、手袋から延びる第１袖部と、第１袖部の端部に設けられる第１接合部とを有し、
第２保護具は、
手の機能を制限する第２手袋と、手袋から延びる第２袖部と、第２袖部の端部に設けられる第２接合部とを有し、
第１保護具と第２保護具は、別々の部材として構成されており、第１接続部及び第２接続部を介して、接続及び分離可能に構成された要介護者用手袋。
【請求項２】
第１保護具と第２保護具は、第１接続部及び第２接続部を介して、着用者の背面側で接続及び分離可能に構成された請求項１に記載の要介護者用手袋。
【請求項３】
第１接合部及び第２接合部は、相互に係合することが可能な面ファスナーである請求項１又は２に記載の要介護者用手袋。
【請求項４】
雌側の面ファスナーの長さが雄側の面ファスナーの長さよりも大きく構成された請求項３に記載の要介護者用手袋。
【請求項５】
第１手袋又は第２手袋は、手の甲を覆う上部と、掌を覆う下部と、上部と下部とを開閉する線ファスナーとを含む請求項１ないし４のいずれかに記載の要介護者用手袋。
【請求項６】
第１手袋又は第２手袋は、手の甲を覆う上部と、掌を覆う下部とを含み、
上部及び下部のうち少なくともいずれか一方は、袋部と、袋部に収納された緩衝材とを有する請求項１ないし５のいずれかに記載の要介護者用手袋。
【請求項７】
第１手袋又は第２手袋は、手袋の入口となる開口の径を絞る締め具と、締め具の一端部と他端部とを連結する固定具を覆い隠すカバーとを有する請求項１ないし６のいずれかに記載の要介護者用手袋。
【請求項８】
第１手袋又は第２手袋は、手指の指先が位置する部分に沿って紐が配置されている請求項１ないし７のいずれかに記載の要介護者用手袋。
【請求項９】
第１袖部又は第２袖部は、先端部が筒状となっており、基端部を構成する生地が斜めに裁断されている形状である請求項１ないし８のいずれかに記載の要介護者用手袋。
【請求項１０】
第１袖部又は第２袖部は、着用者の胸部を覆う形状ではない請求項１ないし９のいずれかに記載の要介護者用手袋。
【発明の詳細な説明】
【技術分野】
【０００１】
本発明は、要介護者が着用する手袋に関する。
【背景技術】
【０００２】
傷病者、痴呆症の患者など意識レベルが低下している状態にある者（以下、要介護者と呼ぶ。）は、不快で煩わしいため、点滴チューブやおしめなどを外してしまうことがある。また、身体にかゆい箇所がある場合、眠ってしまうと、無意識のうちに皮膚を掻きむしってしまうことがある。
【０００３】
上記のような問題を解消するものとして、例えば、特許文献１に示すような、手袋付きの上着が提案されている。この上着は、右側と左側の袖が連結された両袖と、両袖の先端に設けられる手袋とを有する。
【０００４】
また、特許文献２に示すように、手に装着するいたずら防止用の手袋も知られている。この手袋は、手首の部分にバンド及びバックルが設けられている。これによって、手袋から手を容易に引き抜くことができないように対策されている。
【先行技術文献】
【特許文献】
【０００５】
【特許文献１】実用新案登録第３０７９２５５号公報
【特許文献２】特開２００３−１０５６１４号公報
【発明の概要】
【発明が解決しようとする課題】
【０００６】
特許文献１の上着では右側の袖と左側の袖とが常に連結された状態になっているため、着用者に上着を着せにくいことがあった。特に、要介護者の場合は、身体の自由が利きにくいことがある。そのような場合は、さらに上着を着せにくくなってしまう。
【０００７】
特許文献２の手袋は、丈が手首ほどしかない。バンドとバックルで手袋が抜けないように対策はされているものの、着用者が手を引き抜こうとすると手が抜けてしまうおそれがある。
【０００８】
本発明は、着用者に容易に着用させることが可能であり、着用させた手袋を着用者が容易に取り外すことが困難な要介護者用手袋を提供することを目的とする。
【課題を解決するための手段】
【０００９】
一方の上肢に装着する第１保護具と、他方の上肢に装着する第２保護具とを有する要介護者用手袋であって、第１保護具は、手の機能を制限する第１手袋と、手袋から延びる第１袖部と、第１袖部の端部に設けられる第１接合部とを有し、第２保護具は、手の機能を制限する第２手袋と、手袋から延びる第２袖部と、第２袖部の端部に設けられる第２接合部とを有し、第１保護具と第２保護具は、別々の部材として構成されており、第１接続部及び第２接続部を介して、接続及び分離可能に構成された要介護者用手袋によって、上記の課題を解決する。この要介護者用手袋は、第１保護具と第２保護具とが別々の部材として構成されているので、着用者に対して比較的に容易に着用させることが可能である。着用した状態においては、第１接合部と第２接合部とを介して第１保護具と第２保護具とが一体化される。このため、一方の保護具（例えば第１保護具）から手を引き抜こうとしても、他方の保護具（例えば第２保護具）が抵抗となる。これによって、着用者は容易に手を引き抜くことが困難になる。
【００１０】
上記の要介護者用手袋において、第１保護具と第２保護具は、第１接続部及び第２接続部を介して、着用者の背面側で接続及び分離可能に構成することが好ましい。着用者の背面側で第１保護具と第２保護具とを接続することによって、着用者が第１保護具と第２保護具との接合状態をより解除しにくくすることが可能になる。背面側には、首、肩、又は腰が含まれる。
【００１１】
上記の要介護者用手袋において、第１接合部及び第２接合部は、相互に係合することが可能な面ファスナーとすることが好ましい。接合する手段として面ファスナーを使用することによって、第１接合部又は第２接合部が着用者の肌に圧接した際に、着用者に与える痛みや不快感を軽減することができる。また、面ファスナーを用いて接合する位置を変更することで、要介護者用手袋が着用者の腕の長さに合うように調節することが可能になる。
【００１２】
上記の要介護者用手袋において、雌側の面ファスナーの長さが雄側の面ファスナーの長さよりも大きくなるように構成することが好ましい。これにより、雄側の面ファスナーが露出することを防いだり、雄側の面ファスナーが露出する面積を小さくしたりして、雄側の面ファスナーが着用者の肌に刺激を与えたり、他の物品に引っかかったりすることを防止することができる。
【００１３】
上記の要介護者用手袋において、第１手袋又は第２手袋は、手の甲を覆う上部と、掌を覆う下部と、上部と下部とを開閉する線ファスナーとを含むものとすることが好ましい。線ファスナーを操作して手袋が上部と下部とに分かれるように開くことが可能になる。これによって、例えば、線ファスナーを開けて、着用者の手の状態を確認したり、着用者の手を介添えをする者が握って、手袋の中に着用者の手を引き込んで着用させたりすることができる。
【００１４】
上記の要介護者用手袋において、第１手袋又は第２手袋は、手の甲を覆う上部と、掌を覆う下部とを含み、上部及び下部のうち少なくともいずれか一方は、袋部と、袋部に収納された緩衝材とを有する構成とすることが好ましい。これによって、着用者が手を振り回すなどした際に着用者やその介添えをする者が受傷することを防ぐことができる。また、緩衝材を入れることによって手の動きの自由度をより大きく下げることができる。
【００１５】
上記の要介護者用手袋において、第１手袋又は第２手袋は、手袋の入口となる開口の径を絞る締め具と、締め具の一端部と他端部とを連結する固定具を覆い隠すカバーとを有する構成とすることが好ましい。これによって、固定具を口や手で解除し難くすることができる。
【００１６】
上記の要介護者用手袋において、第１手袋又は第２手袋は、手指の指先が位置する部分に沿って紐が配置された構成とすることが好ましい。このようにすることによって、着用者の手指の機能をより大きく制限することが可能になる。これにより、例えば、着用者が点滴チューブを摘んで外すといったことをより確実に防止することができる。
【００１７】
上記の要介護者用手袋において、第１袖部又は第２袖部は、先端部が筒状となっており、基端部を構成する生地が斜めに裁断されている形状とすることが好ましい。これによって、要介護者用手袋を着用者の腕や肩からずれ落ちにくくすることができる。
【００１８】
上記の要介護者用手袋において、第１袖部又は第２袖部は、着用者の胸部を覆う形状ではないものとすることが好ましい。着用者の胸部を覆わない形状とすることで、着用時の違和感や不快感を低減すると共に胸部への医療器具の固定や医療処置などの邪魔になりにくい形状とすることができる。
【発明の効果】
【００１９】
本発明によれば、着用者に容易に着用させることが可能であり、着用させた手袋を着用者が容易に取り外すことが困難な要介護者用手袋を提供することができる。
【図面の簡単な説明】
【００２０】
【図１】要介護者用手袋の一実施形態を着用した状態を示す正面図である。
【図２】要介護者用手袋の一実施形態を着用した状態を示す背面図である。
【図３】第１保護具の一実施形態を甲側から見た状態を示す図である。
【図４】図１の第１保護具を手の掌側から見た状態を示す図である。
【図５】第２保護具の一実施形態を掌側から見た状態を示す図である。
【図６】図２の第２保護具を手の甲側から見た状態を示す図である。
【図７】図１の第１保護具と、図３の第２保護具とを接合する様子を示す図である。
【図８】図３の第１手袋に緩衝材を充填した状態を示す縦端面図である。
【図９】図３の第１手袋から緩衝材を抜去した状態を示す縦端面図である。
【図１０】図３の第１手袋を側面から見た状態を示す図である。
【図１１】図３の第１手袋の一実施形態を手の甲側から見た状態を示す図である。
【図１２】図３の第１手袋の締め具を連結した状態を手の甲側から見た図である。
【図１３】図３の第１手袋の横端面図である。
【図１４】図４のＡＡ部分の端面図である。
【図１５】要介護者用手袋の他の実施形態を示す正面図である。
【発明を実施するための形態】
【００２１】
以下、本発明の要介護者用手袋の一実施形態について、図面を参照しながら説明する。本発明の要介護者用手袋は、以下の実施形態に限定されるものではない。
【００２２】
本実施形態の要介護者用手袋１は、図１及び図２に示したように、一方の上肢に装着する第１保護具１１と、他方の上肢に装着する第２保護具１２とを有する。図１の例では、第１保護具１１は着用者９の右手９１及び右腕９２に装着され、第２保護具１２は着用者９の左手９３及び左腕９４に装着される。
【００２３】
図３及び図４に示したように、第１保護具１１は、手の機能を制限する第１手袋１３と、第１手袋１３から延びる第１袖部１４と、第１袖部１４の端部に設けられる第１接合部１７とを有する。図５及び図６に示したように、第２保護具１２は、手の機能を制限する第２手袋１５と、第２手袋１５から延びる第２袖部１６と、第２袖部１６の端部に設けられる第２接合部１８とを有する。
【００２４】
第１保護具１１と第２保護具１２は、図７に示したように、それぞれが別々の部材として構成されており、第１接続部１７及び第２接続部１８を介して、接続及び分離することが可能に構成されている。
【００２５】
図１及び図２のように、着用者９に要介護者用手袋１を装着させる際には、第１保護具１１を着用者の一方の腕及び手に装着し、第２保護具１２を着用者の他方の腕及び手に装着する。そして、第１接続部１７と第２接続部１８とを接続することによって、容易に着用させることができる。例えば、着用者９が第１保護具１１を引っ張って無理に外そうとすると、第１接続部１７及び第２接続部１８を介して、第２保護具１２が第１保護具１１の方に引っ張られる。このとき、第２保護具１２が抵抗となって第１保護具１１を引き抜くことができない。着用者が第２保護具１２を引っ張って無理に外そうとすると、同様に第１保護具１１が抵抗となって第２保護具１２を引き抜くことができない。このように、本実施形態の要介護者用手袋１は、容易に着用させることが可能であるが、一度着用させると容易に外すことが困難になる。
【００２６】
本実施形態の要介護者用手袋１では、図１及び図２に示したように、第１保護具１１と第２保護具１２は、第１接続部１７及び第２接続部１８を介して、着用者９の背面側で接続及び分離可能な構成となっている。着用者９が第１接続部１７と第２接続部１８との接続を解除するには、自身の背面側に手を回さざるを得ない。しかし、そのような動作には無理があることに加えて、着用者９の手の動きは第１手袋１３及び第２手袋１５によって制限されている。このため、着用者９の背面側で接続及び分離可能な構成とすることで、要介護者用手袋１を着用者９がより取り外し難いようになっている。
【００２７】
本実施形態では、図７に示したように、第１接合部１７及び第２接合部１８は、両者が相互に係合することが可能な面ファスナーから構成されている。第１接合部１７及び第２接合部１８として、線ファスナーや釦を使用することも可能である。線ファスナーや釦は、着用者の身体に圧接すると着用者に痛みや不快感をもたらすことがある。このため、要介護者用手袋１を着用した状態で、着用者が横臥する場合は、第１接合部１７及び第２接合部１８としては、痛みや不快感を与えにくい面ファスナーを使用することが好ましい。
【００２８】
本実施形態では、第２接合部１８は雌側の面ファスナーで構成されており、第１接合部１７は雄側の面ファスナーで構成される。そして、図７に示したように、第２接合部１８として構成された雌側の面ファスナーの長さが、第１接合部１７として構成された雄側の面ファスナーの長さよりも大きくなるように構成されている。雌側の面ファスナーは環状の掛合具から構成されており、雄側の面ファスナーは鉤状の掛合具から構成される。雄側の面ファスナーの鉤状の掛合具が、布製品を構成する糸や繊維に引っかかると、布製品を破損させる。また、雄側の面ファスナーの鉤状の掛合具が着用者の身体に当たると、着用者に痛みや不快感を与える。本実施形態では、雌側の面ファスナーである第２接合部１８が第１接合部１７である雄側の面ファスナーよりも長く構成されている。このため、雄側の面ファスナーを構成する鉤状の掛合具が第２接合部に覆い隠されるようになっている。図７において矢印で示したように、第１接合部１７と第２接合部１８の接続位置を要介護者用手袋１の長手方向に沿って変更することによって、第１手袋１３の先端から第２手袋１５の先端までの間隔を変更する際にも、雄側の面ファスナーを構成する鉤状の掛合具が第２接続部に覆い隠される。これにより、鉤状の掛合具が布製品に引っかかったり、着用者９の身体に不快感や痛みを与えることを防ぐことができる。
【００２９】
本実施形態では、第１接合部１７と第２接合部１８を係合させた際に雌側の面ファスナーが着用者９の肌側を向くように配置され、雄側の面ファスナーが肌側と反対側を向くように配置されている。環状の掛止具から構成される雌側の面ファスナーが着用者９の肌側を向くように配置されているため、着用者９の身体に雄側の鉤状の掛合具が圧接しないようにされている。
【００３０】
第１手袋及び第２手袋は、手の機能を制限できる構成であればよい。なお、本実施形態では、第１手袋１３と第２手袋１５の構成は、基本的に同一であり、左右対称である点で相違するものである。このため、第２手袋１５の図示は省略する。
【００３１】
本実施形態では、図８に示したように、第１手袋１３及び第２手袋１５は、着用者９の掌側に緩衝材２１が配置されており、手の把持する機能がより大きく制限されるようになっている。図８の下方に着用者の掌側が向くように構成されており、緩衝材２１が手の把持する機能をより大きく制限する。本実施形態では、図８に示したように、手指の指先が位置する部分に沿って紐２２が配置されており、手指が物を摘む働きも制限できるように構成されている。紐２２は、着用者の手指のうち少なくとも親指、人差指、及び中指の指先が位置する部分に沿って配置することが好ましく、手指のうち５指のすべての指先が位置する部分に沿って配置することがより好ましい。第１手袋及び第２手袋の構成は、上記の構成に限定されず、例えば、手指の曲げ伸ばしを制限する板状の部材などを使用して、手の機能を制限してもよい。
【００３２】
本実施形態では、図８ないし図１１に示したように、第１手袋１３又は、第２手袋１５は、手の甲を覆う上部３１と、掌を覆う下部３２とを含み、上部３１と下部３２とを開閉する線ファスナー３３と含む。図１１に示したように、線ファスナー３３は、親指の外側の付根部分、すなわち手根中手関接から小指側の手首の関節、すなわち手根骨まで連続して配置される。線ファスナー３３を開くことによって、上部３１と下部３２とを上下に開いて、着用者９の手首より先端に位置する手を露出させることができる。これによって、着用者９の手の状態を観察することができる。また、例えば、上部３１と下部３２とを上下に開いた状態において、介添をする者が上部３１と下部３２との間の開口から手を差し込んで、着用者９の手を握り、第１手袋１３又は第２手袋１５の中に着用者９の手が収まるように引き込むことも可能になる。
【００３３】
本実施形態では、図８に示したように、第１手袋１３又は第２手袋１５の上部３１及び下部３２は、共に袋部２３を備えている。そして、上部３１及び下部３２の袋部２３には、緩衝材２１が充填されている。上述の通り、少なくとも下部３２に緩衝材２１を充填することによって、手の動きを制限することができる。また、着用者９が手を振り回した際に、着用者９又は周囲にいる者が受傷することを防ぐことができる。下部３２及び上部３１に緩衝材２１を充填することにより、手の動きをより大きく制限し、手を保護する効果をより大きくすることが可能になる。
【００３４】
本実施形態では、第１手袋１３又は第２手袋１５は、手袋の入口となる開口の径を絞る締め具と、締め具の一端部と他端部とを連結する固定具を覆い隠すカバーとを有する。締め具は、手袋の入り口の開口の径を締めることができるものであればよい。図１１ないし図１３に示した例では、締め具は、２本の帯状の紐２４である。固定具は、締め具の一端部と他端部とを連結することができるものであればよい。図１１ないし図１３に示した例では、固定具は紐２４の一端部と他端部とに配される係合可能なバックル２５である。このバックル２５は、弾性変形する爪を備える雄部と、爪を係合する雌部とからなる。固定具としては、釦、面ファスナー、線ファスナーなどを使用してもよい。
【００３５】
本実施形態では、２本の紐２４の一端部は、第１手袋１３又は第２手袋１５に縫い付けられており、他端部は自由端となっている。自由端には上記の雄部と雌部とが固定されている。図１２に示したように、本実施形態では、一方の紐２４に長さ調節具が通されている。長さ調節具により紐２２の長さを調節することによって、手首の開口の径を大小自在に調節することができるようになっている。図１２の例では、長さ調節具として、２つの環状の孔を有する移動カン２８を使用している。
【００３６】
本実施形態では、図１２に示したように、第１手袋１３又は第２手袋１５の手首の部分に、上記のバックル２５等の固定具を覆い隠するカバー２７が配される。カバー２７は、例えば、柔軟な布から構成することができる。カバー２７の指先側と腕の基端側とは、手袋に縫合されており、親指側と小指側とが開口部となっており両開口部が連通する。このため、図１３に示したように、開口部から固定具であるバックル２５をカバー２７の下に差し込んで係合させることが可能となっている。バックル２５は、カバー２７の下に覆い隠されているので、着用者９が口などを使用してバックル２５を外すことにより締め具である紐２４を緩めることが難しくなっている。これによって、着用者が第１手袋１３又は第２手袋１５を取り外しにくいようになっている。また、バックル２５がカバー２７の下に覆い隠されているので、例えば、着用者が腕を振り回す動作を行った際に、バックル２５が周囲のものに接触して怪我を負うことを防止することができる。
【００３７】
本実施形態では、図１３に示したように、締め具である紐２４の自由端が手袋に縫着されており、一方の固定具であるバックル２５がカバー２７の下に収納された状態となっている。このため、図１３において矢印で示したように、他方の固定具であるバックル２５を一方の固定具であるバックル２５に対して近づける動作を行うことによって、締め具を連結することが可能となっている。
【００３８】
本実施形態の要介護者用手袋１は、図１及び２に示したように、着用者９の左右の手９１、９２、左右の腕９２、９３、及び背中の上部のみを覆う形状であり、着用者９の胸部を覆う形状ではない。胸部が覆われていないので、着用者９は違和感や暑苦しさを感じにくいようになっている。また、着用者９の胸部が覆われていないので、胸部に医療器具を固定したり、医療処置を行う際に、要介護者用手袋が妨げにならないようになっている。
【００３９】
本実施形態の要介護者用手袋１においては、図２、図３、図６、及び図８に示したように、第１袖部１４又は第２袖部１６は、筒状であり、その基端部を構成する生地が斜めに裁断された形状となっている。このため、第１袖部１４の基端部又は第２袖部１６の基端部において、斜めになっている部分が、着用者９の前側の肩関節にかかるようになっている。これによって、斜めの部分が着用者９の肩に引っかかって、要介護者用手袋１がずれ落ちにくいようになっている。
【００４０】
以下、各部の形態について、より具体的に説明する。
【００４１】
本実施形態では、第１手袋１３又は第２手袋１５は、図８に示したように、上部３１と下部３２とを有する。上部３１と下部３２との間には、手を入れるための袋状の空間が形成されている。上部３１は、着用者９の手の甲を覆い、手首から指先にかけて接面する第１布３１１と、手の先端側に位置し、第１布３１１の先端部を覆う第２布３１２と、手の基端側に位置し、第１布３１１の基端部を覆う第３布３１３とを有する。第３布３１３は、手首部分を覆う形状である。図１１に示したように、第３布３１３の手首部分には平面視において略方形状のカバー２７が縫着されている。
【００４２】
上部３１を構成する第１布３１１の先端部は、図８に示したように、第２布３１２の先端部と縫合されており、手の輪郭に沿った形状とされている。第２布３１２の基端部は自由端となっており、第１留め具が設けられている。第３布３１３の先端部も自由端となっており、第１留め具と対応する第２留め具が設けられている。第３布３１３の基端部は、第１布３１１の基端部と縫合されている。第１布３１１、第２布３１２及び第３布３１３によって、第１布３１１と第２布３１２及び第３布３１３との間に袋部２３が形成される。図８の例では、第１留め具として面ファスナー３１４を使用し、第２留め具として前記面ファスナーに対応する面ファスナー３１５を使用している。第１留め具又は第２留め具としては、釦、又は線ファスナーを利用することが可能である。怪我を防止する観点からは、面ファスナーを使用することが好ましい。
【００４３】
面ファスナー３１４及び３１５は、着脱自在となっている。面ファスナー３１４及び３１５を外すことにより、図８及び図９に示したように、第２布３１２と第３布３１３との間の開口から、第１布３１１と第２布３１２及び第３布３１３との間に設けられた袋部２３に緩衝材２１を挿入または抜去することができるようになっている。
【００４４】
図８の例では、緩衝材２１は、挿入または抜去の際の利便性を考慮して、袋２１１に充填されている。これにより、例えば、緩衝材２１を取り出して、洗濯、乾燥、交換などを行うことが可能になる。緩衝材としては、例えば、ポリウレタンフォーム若しくは発泡合成樹脂などの弾性体で構成したビーズ若しくはブロック、プラスチック製のチューブ、塊状にした繊維若しくは布、又はネット状の布で構成した緩衝材など、柔軟で嵩張るものが挙げられる。プラスチック製のチューブは、洗浄した際の水が乾燥しやすい。緩衝材を洗浄可能に構成する際に好適に使用することが可能である。
【００４５】
下部３２も上部３１と同様に構成される。すなわち、着用者の掌を覆い、手首から指先にかけて接面する第１布３２１と、手の先端側に位置し、第１布３２１の先端部を覆う第２布３２２と、手の基端側に位置し、第１布３１１の基端部を覆う第３布３２３とを有する。第２布３２２の自由端には、面ファスナー３２４が配されており、第３布３２３の自由端には、面ファスナー３２５が配される。
【００４６】
図８等において符号４１は、縫合部を示す。図８に示したように、上部３１の第１布３１１及び第３布３１３は、着用者９の手首部分で縫合されている。同様に、下部３２の第１布３２１及び第３布３２３は、着用者９の手首部分に縫合部４１が設けられている。これにより、袋部２３に充填された充填材２１が手首の方にずれないようになっている。
【００４７】
図８に示したように、上部３１の第１布３１１の先端部及び下部３２の第１布３２１の先端部には、紐２２を収納した袋状の布片２２１が縫合されている。そして、下部３２の第１布３２１と第２布３２２との間には、線ファスナー用カバー３４の基端部が縫合されている。線ファスナー用カバー３４の一端部は、自由端となっており、当該自由端をめくることによって、線ファスナー３３を操作することが可能になる。線ファスナー３３を操作しない際には、線ファスナー用カバー３４によって線ファスナー３３が覆い隠されている。このため、例えば、着用者９が口で線ファスナー３３を操作することが防止できる。また、着用者９が手を振り回した際に線ファスナー３３によって受傷することを防止することができる。
【００４８】
図１０及び図１３に示したように、線ファスナー３３の一端部には、線ファスナー用のポケット３５が設けられている。図１０及び図１１においては、線ファスナー用カバー３４に隠れた線ファスナー３３及びポケット３５を破線で示した。他の図においても破線で示している構造は、他の部材に隠れている状態を示す。ポケット３５は、線ファスナー３３の操作部３３１を収納する。これによって、着用者が線ファスナー３３を操作して、上部３１と下部３２を開くことを防止できるようになっている。図１３に示したように、ポケット３５は、上部３１を構成する第１布３１１と第３布３１３との間にポケット用の布片３５１の一端部を縫合し、下部３２を構成する第１布３２１と第３布３２３との間に布片３５１を縫合することによって、構成されている。ポケット用の布片３５１は、線ファスナー３３の操作部３３１を収納できる程度の大きさとすればよい。
【００４９】
本実施形態では、図１３に示したように、手袋の入り口の開口の径を絞る締め具を構成する紐２６が、着用者９の手首の全周に巻回することができるようになっている。具体的には、下部３２の第１布３２１と第３布３２３との間に２本の紐の基端部を縫合することで、着用者の手首の全周に巻回できるようにされている。上部３１の第１布３１１と第３布３１３との間に２本の紐の基端部を縫合するようにしてもよい。
【００５０】
本実施形態では、第１手袋１３又は第２手袋１５を構成する上部３１及び下部３２は、図８ないし図１２に示したように、着用者の手首から指先までを覆い隠す手袋の形状を有する。上部３１と下部３２との境目が、着用者９の手の掌と手の甲との境目に沿う形状となっている。そして上部３１と下部３２との境目には、上述のように、線ファスナー３３が配されている。図４、図５、及び図８に示したように、第１手袋１３又は第２手袋１５には、筒状の第１袖部１４又は第２袖部１６が接続されている。
【００５１】
次に袖部の構成について詳細に説明する。図４の例では、第１手袋１３の上部３１及び下部３２から構成される手首部分の開口に対して、下腕の内側を覆う第１布１４１の先端部と、下腕の外側、上腕の外側、肩甲骨部分を覆う第２布１４２の先端部とを縫合し、第１布１４１と第２布１４２の両側辺を縫合するにより、筒状の第１袖部１４を構成している。第２布１４２の基端部には、上述の第１接合部１７が設けられている。第１接合部１７は、第１布１４１の外側（背中側）に設けられる。第１布１４１の基端部は、着用者の肩の前側に第１布１４１の基端部が引っかかるように斜めに裁断されている。第１布１４１は、第２布１４２の丈に対して短くなっている。
【００５２】
第１布１４１及び第２布１４２の形状は、図３及び図４に示したように、先端部では略同一であり、着用者９の腕の形状にあわせて、腕の基端部から先端部に移行するにつれて内径が小さくなるテーパー形状となっている。第１布１４１及び第２布１４２の基端部の形状は、第１布１４１と第２布１４２で異なる。第１布１４１の基端部の形状は、上述の通り生地が斜めに裁断された形状である。第２布１４２の基端部の形状は、第１接続部１７の形状に合わせた四角状となっている。第２布１４２の基端部の形状は、第１接合部を固定するのに適した形状であればよく、例えば、円弧状としてもよい。
【００５３】
第２袖部１６の構成は、図５及び図６に示したように、先端部については第１袖部１４と同様であり、第２手袋１５の上部３１及び下部３２から構成される手首部分の開口に対して、下腕の内側を覆う第１布１６１の先端部と、下腕の外側、上腕の外側、肩甲骨部分を覆う第２布１６２の先端部とを縫合し、第１布１６１と第２布１６２の両側辺を縫合するにより、筒状の第２袖部１６を構成している。そして、第１布１６１及び第２布１６２の形状は、先端部では略同一であり、着用者の腕の形状にあわせて、腕の基端側から先端側になるにつれて内径が小さくなるテーパー形状となっている。
【００５４】
第２袖部１６の基端部の構成は、第１袖部１４の基端部に比べて、要介護者用手袋の長手方向に対して、第２布１６２の長さが大きい点で異なる。また、第２布１６２の内側（着用者の肌側）に第２接続部１８が設けられる点で異なる。そして、第２接続部１８の長さも、第１接続部１７の長さに比べて、要介護者用手袋の長手方向に対して、長い点でも異なる。
【００５５】
第１布１６１の基端部は、着用者の前側の肩に第１布１６１の基端部が引っかかるように斜めに裁断されている。第１布１６１は、第２布１６２の丈に対して短く、第２接続部１８が第１布１６１に隠れないようになっている。これにより、第２接続部１８を露出させて、第１接続部１７を図７において矢印で示したように、長手方向に移動させて任意の位置で接続することによって、要介護者用手袋１の袖丈を調節できるようになっている。第２接続部１８を第１接続部１７に比べて長く構成したのは、袖丈の調節のためである。
【００５６】
第１手袋又は第２手袋の上部を構成する第２布若しくは第３布、第１袖部又は第２袖部を構成する第２布は、通気性を有するメッシュ生地で構成してもよい。これらの部位は、比較的に摩擦に曝されにくく、メッシュ生地を使用することによって通気性を向上させることができる。また、上記の部位やその他の部分を含む要介護者用手袋の構成要素は、織布、編布、不織布などの素材で構成することもできる。
【００５７】
上記の実施形態に係る要介護者用手袋１では、第１袖部１４又は第２袖部１６は、図３及び図４に示したように、上肢の延びる方向に沿って、直線状となるように構成されている。図１５に示したように、第１袖部１４ｂ又は第２袖部１６ｂにおいて、着用者の肘から肩までの部分に湾曲部１４３ｂまたは１２３ｂを設けてもよい。湾曲部を設けた要介護者用手袋１ｂでは、着用者が第１保護具１１ｂ又は第２保護具１２ｂを着用した状態で、手を胴に沿って真っすぐに下した場合などにおいて、第１保護具１１ｂ又は第２保護具１２ｂに皺が入りにくく、また張力が緩和される。これにより、着心地や外観を向上させることができる。なお、図１５においては、図１等に示した要介護者用手袋と同様の構成には、同一の符号を付した。なお、第１保護具１１ｂの基端部に設けられた第１接続部１７ｂと、第２保護具１２ｂの基端部に設けられた第２接続部１８ｂには、上記の実施形態と同様に面ファスナーが設けられている。
【符号の説明】
【００５８】
１      要介護者用手袋
１１    第１保護具
１２    第２保護具
１３    第１手袋
１５    第２手袋
１４    第１袖部
１６    第２袖部
１７    第１接合部
１８    第２接合部
３１    上部
３２    下部
２１    緩衝材
２４    紐
【図１】
2020125564.tif 000003
【図２】
2020125564.tif 000004
【図３】
2020125564.tif 000005
【図４】
2020125564.tif 000006
【図５】
2020125564.tif 000007
【図６】
2020125564.tif 000008
【図７】
2020125564.tif 000009
【図８】
2020125564.tif 000010
【図９】
2020125564.tif 000011
【図１０】
2020125564.tif 000012
【図１１】
2020125564.tif 000013
【図１２】
2020125564.tif 000014
【図１３】
2020125564.tif 000015
【図１４】
2020125564.tif 000016
【図１５】
2020125564.tif 000017